(57)【要約】【課題】器具および構成部品の洗浄振分け作業を容易にすること【解決手段】  手術セットの洗浄管理システムは、リーダー１１ａ，１１ｂと、表示装置１２ａ，１２ｂと、処理装置１３とを備えている。処理装置１３は、第１記憶部１０１と、第２記憶部１０２と、第３記憶部１０３と、第４記憶部１０４と、第１処理部２０１と、第２処理部２０２とを備えている。このうち、第１処理部２０１は、リーダー１１ａ，１１ｂによって個体情報が検知された際に、個体情報によって器具または構成部品が属する手術セットを特定するようにプログラムされている。第２処理部２０２は、第１処理部２０１で特定された手術セットに属する器具および構成部品と、洗浄方法とを関連付けて、表示装置に表示するようにプログラムされている。【選択図】図１
2019024609.tif 000002
【特許請求の範囲】
【請求項１】
リーダーと、
表示装置と、
処理装置と
を備え、
前記処理装置は、
複数の器具で構成された手術セットの各器具および器具を構成する構成部品に、それぞれ一対一で関連付けられた器具ＩＤおよび部品ＩＤを記憶した第１記憶部と、
前記手術セットに一対一で関連付けられたセットＩＤと、当該手術セットに属する器具の器具ＩＤと、当該手術セットに属する部品ＩＤとを関連付けて記憶した第２記憶部と、
前記器具の個体情報と器具ＩＤ、および、前記構成部品の個体情報と部品ＩＤとを関連付けて記憶した第３記憶部と、
前記器具ＩＤおよび部品ＩＤと関連付けて、洗浄方法にそれぞれ一対一で関連付けられた洗浄方法ＩＤを記憶した第４記憶部と、
前記リーダーによって前記個体情報が検知された際に、前記個体情報によって器具または構成部品が属する手術セットを特定するようにプログラムされた第１処理部と、
前記第１処理部で特定された手術セットに属する器具および構成部品と、前記洗浄方法とを関連付けて、前記表示装置に表示するようにプログラムされた第２処理部と
を備えた、手術セットの洗浄管理システム。
【請求項２】
前記処理装置は、
前記リーダーによって前記個体情報が検知された際に、前記表示装置に第１振分ボタンを表示するようにプログラムされた第３処理部と、
前記第１振分ボタンが操作された際に、前記第１処理部で特定された手術セットに属する器具および構成部品を、前記第４記憶部で関連付けられた洗浄方法毎に分けて前記表示装置に表示するようにプログラムされた第４処理部と
を備えた、
請求項１に記載された手術セットの洗浄管理システム。
【請求項３】
前記処理装置は、
前記構成部品の個体情報が前記リーダーによって検知された際に、検知された個体情報に基づいて構成部品が属する器具を特定するようにプログラムされた第５処理部と、
前記第５処理部で特定された器具に属する構成部品を、前記洗浄方法に関連付けて前記表示装置に表示するようにプログラムされた第６処理部と
を備えた、
請求項１に記載された手術セットの洗浄管理システム。
【請求項４】
前記処理装置は、
前記リーダーによって前記構成部品の個体情報が検知された際に、前記表示装置に第２振分ボタンを表示するようにプログラムされた第７処理部と、
当該第２振分ボタンが操作された際に、検知された個体情報に基づいて特定された器具に属する構成部品を、前記第４記憶部で関連付けられた洗浄方法毎に分けて前記表示装置に表示するようにプログラムされた第８処理部と
を備えた、
請求項１に記載された手術セットの洗浄管理システム。
【請求項５】
前記処理装置は、
前記リーダーによって前記個体情報が検知された際に、前記個体情報によって特定される器具または構成部品が属する手術セットに属する器具および構成部品を、前記第４記憶部で関連付けられた前記洗浄方法毎に分けて前記表示装置に表示するようにプログラムされた第９処理部を備えた、
請求項１に記載された手術セットの洗浄管理システム。
【請求項６】
リーダーと、
表示装置と、
処理装置と
を備え、
前記処理装置は、
複数の器具で構成された手術セットの各器具および器具を構成する構成部品に、それぞれ一対一で関連付けられた器具ＩＤおよび部品ＩＤを記憶した第１記憶部と、
前記手術セットに一対一で関連付けられたセットＩＤと、当該手術セットに属する器具の器具ＩＤと、当該手術セットに属する器具に属する部品ＩＤを関連付けて記憶した第２記憶部と、
前記器具の個体情報と器具ＩＤ、および、前記構成部品の個体情報と部品ＩＤとを関連付けて記憶した第３記憶部と、
前記器具ＩＤおよび部品ＩＤと、洗浄方法とを関連付けて記憶した第４記憶部と、
前記リーダーによって前記個体情報が検知された際に、前記個体情報によって特定される器具または構成部品が属する手術セットに属する器具および構成部品を、前記第４記憶部で関連付けられた前記洗浄方法毎に分けて前記表示装置に表示するようにプログラムされた第９処理部と
を備えた、
手術セットの洗浄管理システム。
【請求項７】
前記処理装置は、
前記器具ＩＤまたは前記部品ＩＤと、前記器具または前記構成部品が洗浄振分け作業において振分けられた日時を関連づけて記憶する第５記憶部と、
前記器具ＩＤまたは前記部品ＩＤと、前記器具または前記構成部品が洗浄振分け作業において振分けられた日時を特定し、前記第５記憶部に記憶するようにプログラムされた第１振分部と
を備えた、請求項１から６までの何れか一項に記載された手術セットの洗浄管理システム。
【請求項８】
前記第１振分部は、
前記表示装置によって表示された前記器具または前記構成部品にボタンを設け、かつ、当該ボタンが操作された日時に基づいて前記器具ＩＤまたは部品ＩＤと振分けられた日時とを特定し、前記第５記憶部に記憶するようにプログラムされた、請求項７に記載された手術セットの洗浄管理システム。
【請求項９】
前記第１振分部は、
前記リーダーによって個体情報が検知された際に、前記器具ＩＤまたは前記部品ＩＤと振分けられた日時を特定し、前記第５記憶部に記憶するようにプログラムされた、請求項７に記載された手術セットの洗浄管理システム。
【請求項１０】
前記処理装置は、
前記第５記憶部に基づいて、振分け済みの前記器具または前記構成部品を特定し、当該振分け済みの前記器具または前記構成部品の表示パターンを変更するようにプログラムされた第２振分部を備えた、請求項７から９までの何れか一項に記載された手術セットの洗浄管理システム。
【請求項１１】
前記処理装置は、
前記セットＩＤと、前記セットＩＤで特定される手術セットの振分開始日時と、振分終了日時とを関連づけて記憶する第６記憶部と、
洗浄振分け作業が施される手術セットのセットＩＤと、振分け作業が開始された日時と、振分け作業が終了した日時とを特定し、前記第６記憶部の振分開始日時と振分終了日時に記憶するようにプログラムされた第３振分部と
を備えた、請求項１から１０までの何れか一項に記載された手術セットの洗浄管理システム。
【請求項１２】
前記第３振分部は、
前記セットＩＤで特定される手術セットに属する器具および構成部品が全て振分けられた日時を、前記振分終了日時に記録するようにプログラムされた、
請求項１１に記載された手術セットの洗浄管理システム。
【請求項１３】
前記処理装置は、
前記セットＩＤと、前記セットＩＤで特定される手術セットの画像とを関連付けて記憶した第１画像記憶部と、
前記セットＩＤに関連付けられた手術セットの画像を、前記表示装置に表示するようにプログラムされた第１４処理部と
を備えた、
請求項１から１２までの何れか一項に記載された手術セットの洗浄管理システム。
【請求項１４】
前記処理装置は、
前記リーダーによって前記個体情報が検知された際に、前記個体情報によって特定される器具または構成部品が属する手術セットのセットＩＤを特定し、当該セットＩＤで特定される手術セットの画像を表示するようにプログラムされている、
請求項１３に記載された手術セットの洗浄管理システム。
【請求項１５】
前記処理装置は、
前記器具ＩＤと、前記器具ＩＤで特定される器具の画像とを関連付けて記憶した第２画像記憶部と、
前記器具ＩＤに関連付けられた前記器具の画像を、前記表示装置に表示するようにプログラムされた第１５処理部と
を備えた、
請求項１から１４までの何れか一項に記載された手術セットの洗浄管理システム。
【請求項１６】
前記器具の画像には、器具に前記個体情報が付与された位置を示す印が付けられている、請求項１５に記載された手術セットの洗浄管理システム。
【請求項１７】
前記処理装置は、
前記部品ＩＤと、前記部品ＩＤで特定される構成部品の画像とを関連付けて記憶した第３画像記憶部と、
前記部品ＩＤに関連付けられた前記構成部品の画像を、前記表示装置に表示するようにプログラムされた第１６処理部と
を備えた、
請求項１から１６までの何れか一項に記載された手術セットの洗浄管理システム。
【請求項１８】
前記構成部品の画像には、当該構成部品に前記個体情報が付与された位置を示す印が付けられている、請求項１６に記載された手術セットの洗浄管理システム。
【請求項１９】
前記処理装置は、
前記個体情報が有ること、または、前記個体情報が無いことを示す第１判定子を、前記器具ＩＤおよび前記部品ＩＤに関連付けて記憶した第７記憶部と、
前記器具または前記構成部品と、前記個体情報の有無とを関連付けて前記表示装置に表示するようにプログラムされた第１７処理部と
を備えた、請求項１から１８までの何れか一項に記載された手術セットの洗浄管理システム。
【請求項２０】
前記処理装置は、
前記個体情報が付されていることを示す第１アイコンと、前記個体情報が付されていないことを示す第２アイコンとを記憶した第４画像記憶部
を備えており、
前記第１７処理部は、
前記第１判定子に応じて前記第１アイコンまたは前記第２アイコンを前記表示装置に表示するようにプログラムされている、
請求項１９に記載された手術セットの洗浄管理システム。
【請求項２１】
前記第７記憶部は、前記個体情報の有無が不明であることを示す第２判定子を、前記器具ＩＤおよび前記部品ＩＤに関連付けて記憶している、
請求項１９に記載された手術セットの洗浄管理システム。
【請求項２２】
前記処理装置は、
前記個体情報が付されていることを示す第１アイコンと、前記個体情報が付されていないことを示す第２アイコンと、前記個体情報の有無が不明であることを示す第３アイコンを記憶した第４画像記憶部とを備えており、
前記第１７処理部は、前記第１判定子および第２判定子に応じて、前記第１アイコンと第２アイコンと前記第３アイコンとのうち何れか１つのアイコンを、前記表示装置に表示するようにプログラムされている、
請求項２１に記載された手術セットの洗浄管理システム。
【請求項２３】
前記処理装置は、
前記洗浄方法ＩＤに一対一で割り当てられた画像データを記憶した第５画像記憶部と、
前記洗浄方法ＩＤに割り当てられた画像データを前記表示装置に表示するようにプログラムされた第１８処理部と
を備えた、
請求項１から２２までの何れか一項に記載された手術セットの洗浄管理システム。
【請求項２４】
前記処理装置は、
前記セットＩＤで特定される手術セットのうち、１の手術セットが特定された際に、当該特定された手術セットに属する器具および構成部品と、前記洗浄方法とを関連付けて、前記表示装置に表示するようにプログラムされた第１９処理部を備えた、
請求項１から２３までの何れか一項に記載された手術セットの洗浄管理システム。
【請求項２５】
診療科に一対一で割り当てられた診療科ＩＤと、前記セットＩＤとを関連付けて記憶した第８記憶部と、
前記診療科が入力されるようにプログラムされた情報入力部と、
前記情報入力部で入力された診療科の診療科ＩＤに関連付けられたセットＩＤが抽出されるようにプログラムされた第２０処理部と
を備えた、
請求項２４に記載された手術セットの洗浄管理システム。
【発明の詳細な説明】
【技術分野】
【０００１】
本発明は、手術セットの洗浄管理システムに関する。
【背景技術】
【０００２】
特開２００３−１６１９８号公報には、診察、手術、検査などで使用される小物に個々に識別コードを設け、当該識別コードを読み取る装置を備えた装置が提案されている。管理装置のデータベースには、予め患者に関するデータ、その患者を担当する医師のデータ、鋼製小物の在庫データ等が医療データとして記憶されている。そして、患者に対して手術または治療等の医療行為がなされた後、管理装置のデータベース上に記憶された医療データと読み取ったデータとが比較される。
【０００３】
特開２００９−７２３３８号公報には、１回の使用ごとに洗浄し、繰り返し使用する医療機器の管理システムが開示されている。ここでは、内視鏡の状態に応じて表示部の色を変えることが開示されている。
【０００４】
特開２０１２−２１５９９０号公報には、医療器材のピッキング作業を支援するための装置が提案されている。具体的には、医療器材の識別子および医療器材の画像を格納した記憶部と、相互に類似する医療器材の識別子を互いに関連付けて格納する記憶部とを備えている。同公報で提示される装置は、ユーザーによって指定された医療器材の画像と、その医療器材と類似する医療器材の画像とが並べて表示されるように構成されている。
【０００５】
特開２０１３−１１６２３４号公報には、医療器具の所在を管理する装置が開示されている。ここで開示されている装置では、機器情報取得部は、医療施設内の複数箇所に設置されたタグ読取装置から、医療機器に付された識別タグの読取情報を含む機器情報を取得する。ステータス保持部は、取得された機器情報により特定される医療機器の所在を含む医療機器のステータスを保持する。表示制御部は、ステータス保持部に保持される医療機器のステータスを表示装置に表示させる。表示制御部は、医療機器の内、医療行為に使用中の医療機器を非表示にする。
【０００６】
特開２０１５−１９７７３５号公報には、一般医療スタッフの参考となるガイダンス情報を配信することができる装置が提案されている。ここで提案される装置は、熟練医療スタッフによる医療行為の内容を表す医療作業情報をガイダンス情報としている。そして、一般医療スタッフからの要求に応じて、ガイダンス情報を配信している。
【０００７】
実用新案登録第３１９９６１４号公報には、手術器具管理システムが開示されている。ここで開示されたシステムは、手術器具に関する外観写真を記録する。バーコード情報を用いて、手術前に準備された手術器具の資産番号一覧を作成する。次に、手術後に回収された手術器具の識別図柄を読み取る。また、手術器具の外観写真を表示させると共に、手術後に回収された手術器具に関する資産番号が、手術前に準備された手術器具に関する資産番号と一致するか否かを判断する。
【先行技術文献】
【特許文献】
【０００８】
【特許文献１】特開２００３−１６１９８号公報
【特許文献２】特開２００９−７２３３８号公報
【特許文献３】特開２０１２−２１５９９０号公報
【特許文献４】特開２０１３−１１６２３４号公報
【特許文献５】特開２０１５−１９７７３５号公報
【特許文献６】実用新案登録第３１９９６１４号公報
【発明の概要】
【発明が解決しようとする課題】
【０００９】
ところで、手術器具は、手術後、回収、洗浄、組立、封止、滅菌、保管の順で管理されており、滅菌後に保管されている器具が再び手術で用いられている。かかる管理の流れの中で、手術器具の洗浄工程では、器具の洗浄方法が細かく定められている。このため、手術室から回収された器具を適切に振分けて各洗浄工程に送る必要がある。また、一回の手術では、多くの手術器具が用いられることがあり、また同種の器具が混在するため、振分け作業は非常に繁雑になる。
【課題を解決するための手段】
【００１０】
ここで提案される手術セットの洗浄管理システムは、リーダーと、表示装置と、処理装置とを備えている。
処理装置は、第１記憶部と、第２記憶部と、第３記憶部と、第４記憶部と、第１処理部と、第２処理部とを備えている。
第１記憶部は、複数の器具で構成された手術セットの各器具および器具を構成する構成部品に、それぞれ一対一で関連付けられた器具ＩＤおよび部品ＩＤを記憶している。
第２記憶部は、手術セットに一対一で関連付けられたセットＩＤと、当該手術セットに属する器具の器具ＩＤと、当該手術セットに属する部品ＩＤとを関連付けて記憶している。
第３記憶部は、器具の個体情報と器具ＩＤ、および、構成部品の個体情報と部品ＩＤとを関連付けて記憶している。
第４記憶部は、器具ＩＤおよび部品ＩＤと関連付けて、洗浄方法にそれぞれ一対一で関連付けられた洗浄方法ＩＤを記憶している。
第１処理部は、リーダーによって個体情報が検知された際に、個体情報によって器具または構成部品が属する手術セットを特定するようにプログラムされている。
第２処理部は、第１処理部で特定された手術セットに属する器具および構成部品と、洗浄方法とを関連付けて、表示装置に表示するようにプログラムされている。
【発明の効果】
【００１１】
かかる手術セットの洗浄管理システムによれば、器具または構成部品に付けられた個体情報から、手術セットに属する器具および構成部品が特定され、洗浄方法が関連づけられて表示装置に表示される。このため、器具および構成部品の洗浄振分け作業は容易になる。
【図面の簡単な説明】
【００１２】
【図１】図１は、手術セットの洗浄管理システム１０の概念図である。
【図２】図２は、システム１０の具体的構成例を示す概要図である。
【図３】図３は、第１記憶部１０１〜第４記憶部１０４を纏めたデータベース４００の構成例である。
【図４】図４は、表示装置１２に表示される画面の一例を示すイメージ図である。
【図５】図５は、第１振分けボタン６２１（図４参照）が押された後に表示される画面を示すイメージ図である。
【図６Ａ】図６Ａは、器具の画像に添えられるアイコンを示す図である。
【図６Ｂ】図６Ｂは、器具の画像に添えられるアイコンを示す図である。
【図６Ｃ】図６Ｃは、器具の画像に添えられるアイコンを示す図である。
【図６Ｄ】図６Ｄは、器具の画像に添えられるアイコンを示す図である。
【図７】図７は、異なる複数の手術セットに属する器具および構成部品がそれぞれ手術セット毎に分けられて表示された画面を示すイメージ図である。
【図８】図８は、第５記憶部１０５のデータベース４４０の構成例を示す図である。
【図９】図９は、第６記憶部１０６のデータベース４６０の構成例を示す図である。
【図１０】図１０は、ユーザーが手術セットを検索するための条件設定画面を示す図である。
【発明を実施するための形態】
【００１３】
以下、図面を参照しながら、本発明の一実施形態に係る手術セットの洗浄管理システムを説明する。なお、ここで説明される実施形態は、当然ながら本発明を限定することを意図したものではない。また、同じ作用を奏する部材・部位には同じ符号を付し、重複する説明は適宜省略または簡略化する。
【００１４】
ここで、手術セットは、一回の手術あるいは手術の一工程で使われる複数の医療器具からなる１つの纏まりである。ここで、医療器具は、適宜に、器具と称される。
手術セットの器具には、例えば、トラカール、鉗子、切開装置、洗浄吸引装置、剪刃、メス、メスホルダー、カニューレ、鑷子、開創器、スケール、ゾンデ、エレバ、ラスパ、吸引管、開胸器、閉胸器、持針器、注射器、金属ボール、膿盆、コップ、ピン、ミラー、やすり、開口器、クレンメ、ハンドピース、ノミ、鋭匙、剥離子、鏡、縫合針、スタンツェ、受水器、針、圧子、ブジー、通気管、骨片打込器、リウエル、ラジオペンチ、ハンマー、角度計、スポイト、浣腸器、シリンジなどがある。
【００１５】
医療器具には、複数の構成部品で構成された器具がある。例えば、腹腔鏡外科手術で用いられるトラカール、鉗子、切開装置、洗浄吸引装置などは、複数の構成部品からなり、手術後に回収され、複数の構成部品に分解される。ここでは、医療器具を構成する部品を構成部品という。また、構成部品がさらに複数の構成部品からなる場合があるが、このような場合は全て構成部品と称する。
【００１６】
このような医療器具および医療器具の構成部品は、それぞれ洗浄作業が決められている。このため、医療器具および器具の構成部品は、手術後に回収されてそれぞれ指定された洗浄作業毎に振分けられて、それぞれ洗浄工程に回送される。洗浄後、複数の構成部品からなる器具は組立てられ、また、手術セット毎、あるいは、医療器具毎に分けられて所定の容器に入れられて封止される。その後、指定された滅菌方法で滅菌されて、次に使用されるまで保管される。このように、手術セットの使用では、手術→回収（振分け）→洗浄→組立（封止）→滅菌→保管→手術という工程が繰り繰り返される。
【００１７】
手術セットの各器具および構成部品は、それぞれ適切な方法および手順で確実に洗浄されることが、院内感染などを防ぐ上で重要である。このため、器具および構成部品毎に、洗浄方法が定められている。洗浄方法によって工程が異なり、洗浄する担当者が異なる場合がある。手術セットの各器具および構成部品を、確実に、所定の洗浄工程に回送するためには、振分け作業で漏れなく、確実に振分けられていることが必要である。しかしながら、１つの手術で、複数の手術セットが用いられて、複数の手術セットの器具が混在した状態で回収されることもある。さらに、異なる手術セットに、同種の似たような器具が含まれているため、取り間違えて振分けられたりすることが想定される。
ここで提案される手術セットの洗浄管理システムは、例えば、このような手術後の器具の回収、洗浄工程に向けての振分け作業において、器具および構成部品を適切に管理するのに用いられうる。
【００１８】
図１は、手術セットの洗浄管理システム１０（以下、適宜に「システム１０」と称する場合がある。）の概念図である。
【００１９】
システム１０は、図１に示すように、リーダー１１ａ，１１ｂと、表示装置１２ａ，１２ｂと、処理装置１３とを備えている。リーダー１１ａ，１１ｂと、表示装置１２ａ，１２ｂと、処理装置１３とは、データ通信可能に接続されているとよい。図１に示された形態では、通信ネットワーク１４を通じて、リーダー１１ａ，１１ｂと、表示装置１２ａ，１２ｂと、処理装置１３とが、相互にデータ通信可能な状態で連携している。予め定められたプログラムに沿って情報を処理する装置である。処理装置１３は、各種の情報を記憶するための記憶部と、情報を処理する処理部など、種々の処理モジュールを備えている。
【００２０】
なお、図１は、システムの概念図であり、システム１０の形態は、これに限定されない。図１に示す例では、リーダー１１ａ，１１ｂと、表示装置１２ａ，１２ｂとは、それぞれ２つであるが、システム１０のリーダー１１と表示装置１２は、それぞれ１つでもよい。システム１０は、さらに多くのリーダー１１と表示装置１２とを備えていてもよい。また、処理装置１３は、単一の装置で具現化してもよいし、複数の装置が協働で処理装置としての機能を奏するものでもよい。図１では、リーダー１１および表示装置１２を、それぞれ区別してリーダー１１ａ，１１ｂおよび表示装置１２ａ，１２ｂとしている。本明細書において、リーダー１１ａ，１１ｂおよび表示装置１２ａ，１２ｂを区別する必要がない場合には、単に「リーダー１１」および「表示装置１２」と称する。
【００２１】
図２は、システム１０の具体的構成例を示す概要図である。図２に示す形態では、システム１０は、操作端末５１〜５５と、リーダー６１〜６３と、サーバー７０と、ルーター７５とを備えている。
【００２２】
図２では、操作端末５１〜５３、５５は、タブレット型端末であり、操作端末５４は据え置き型の端末である。また、操作端末５１〜５５は、それぞれコンピュータを内蔵している。つまり、操作端末５１〜５５は、情報を記憶する記憶装置と、プログラムに従って所定の処理を実行する演算装置とを備えている。各操作端末５１〜５５、リーダー６１〜６３、および、サーバー７０は、ルーター７５を通じて構築される無線通信ネットワークによって相互に情報通信が可能な状態で接続されている。サーバー７０は、このシステム１０の各処理の基幹となるホストコンピュータである。サーバー７０は、情報を記憶する大容量の記憶装置７２を備えている。また、操作端末５１〜５５は、このシステム１０のクライアントコンピュータとして機能する。図２では、リーダー６１〜６３は、通信ネットワークを通じて操作端末５１〜５５に情報通信可能に接続されている。なお、リーダー６１〜６３は、通信ネットワークを通じてサーバー７０に情報通信可能に接続されていてもよい。
【００２３】
操作端末５１〜５５およびリーダー６１〜６３は、図２に示されているように、手術セットを回収する回収エリアＡ、洗浄を行う洗浄エリアＢ、および、洗浄後に組立および封止を組立エリアＣに、それぞれ配置されている。このようにシステム１０は、複数の離れた場所で、異なる複数のユーザーによって同時に並行して利用されうるように構成されている。
【００２４】
図２に示されたリーダー６１〜６３は、それぞれ図１に示されたリーダー１１として機能する装置である。図２に示された操作端末５１〜５５のディスプレイ５１ａ〜５５ａは、それぞれ図１に示された表示装置１２として機能する。図２に示された形態では、操作端末５１〜５５とサーバー７０とは、協働してシステム１０の処理装置１３（図１参照）として機能する。図１および図２に示された形態では、システム１０は、複数の装置によって具現化されている。システム１０は、多くの手術セットが複数の工程で並行して管理され、かつ、複数のユーザーで利用される。このため、図１および図２で示されているように、通信ネットワークを通じて複数台のパソコンが連携しうるようにシステムが構築されている。
【００２５】
リーダー１１は、手術セットの器具、器具の構成部品に組み込まれる個体情報を読み取る装置である。
【００２６】
ここで、個体情報は、所定の形態の二次元シンボルであり得る。例えば、手術セットの器具に用いられる個体情報としては、二次元バーコードや、ＲＦＩＤのような非接触タグや、器具表面に形成される刻印などで具現化されうる。また、刻印には、レーザー刻印や、打刻による形成ができる。
【００２７】
打刻による二次元シンボルの形成には、例えば、メタルプリンター（例えば、ローランドディー．ジー．株式会社製  ＭＰＸ−９５など）が用いられうる。このようなメタルプリンターによれば、例えば、１ｍｍ〜４ｍｍ角程度の微細な大きさでデータマトリックスを形成することが可能である。打刻による二次元シンボルは、器具表面を凹ますことによって形成されている。器具表面のメッキ被膜などに傷が付きにくく、二次元シンボルを付けたことによって器具が錆び難い。また、メタルプリンターなどの発達によって、二次元シンボルが形成されていない既存の器具にも適用でき、二次元シンボルをユーザーで設定して付与することができる。
【００２８】
ここでは、システム１０の各構成装置を順に説明する。ここでは、図１を主たる参照図面とし、適宜に図２の具体例を参照しつつ説明する。
リーダー１１（図１参照）は、個体情報を読み取る装置である。図２に示されたリーダー６１〜６３は、それぞれ箱形の筐体を有し、上部にカメラを内蔵した検知部６１ａ〜６３ａを備えている。この実施形態では、かかる検知部６１ａ〜６３ａに、器具や構成部品に打刻された二次元シンボルを向けることで、当該器具や構成部品に割り当てられた個体情報が読み取られる。なお、リーダー１１（図１参照）は、図２に示された形態に限定されず、種々の形態が取られうる。
【００２９】
表示装置１２は、処理装置１３からの指令に沿って、情報を表示する装置であるとよく、種々のディスプレイ装置が採用されうる。図２に示された形態では、表示装置１２は、各操作端末５１〜５５のディスプレイ５１ａ〜５５ａで構成されている。表示装置１２は、タッチパネルで構成されていてもよい。表示装置１２がタッチパネルで構成されている場合には、ユーザーが表示装置１２の画面に触れることで操作されるようにシステム１０を構成することができる。
【００３０】
処理装置１３は、このシステムの種々の処理を行う装置である。処理装置１３は、予め定められたプログラムに沿って駆動するコンピュータによって具現化されうる。具体的には、処理装置１３の各機能は、処理装置１３を構成する各コンピュータの演算装置（プロセッサ、ＣＰＵ（Central Processing Unit）、ＭＰＵ（Micro-processing unit）とも称される）や記憶装置（メモリーやハードディスクなど）によって処理される。例えば、処理装置１３の各構成は、コンピュータによって具現化されるデータを予め定められた形式で記憶するデータベース、データ構造、予め定められたプログラムに従って所定の演算処理を行う処理モジュールなどとして、または、それらの一部として具現化されうる。
【００３１】
処理装置１３は、図２に示された形態では、操作端末５１〜５５に組み込まれたコンピュータと、操作端末５１〜５５に通信ネットワークを通じて接続されたサーバー７０との協働によって具現化されている。このように、処理装置１３の各機能は、ネットワークを通じて互いに連携する複数の装置によって具現化されてもよい。つまり、図１では、処理装置１３は、１つの装置のように図示されているが、１つの装置であることに限定されない。
【００３２】
図１に示された形態では、処理装置１３は、種々の情報を記憶した記憶部１０１〜１０８、主として画像情報を記憶した画像記憶部１４１〜１４５、情報入力部１６１、予め定められた処理を行うようにプログラムされた処理部２０１〜２２０、また、主として振分け処理を行うようにプログラムされた振分部２４１〜２４３を備えている。
記憶部１０１〜１０８、画像記憶部１４１〜１４５などに記憶される情報は、図２の形態では、例えば、ホストコンピュータとしてのサーバー７０の記憶装置７２に記憶されているとよい。サーバー７０の記憶装置７２に記憶された情報は、ネットワークを通じて接続されるクライアントコンピュータ（ここでは、タブレット端末５１〜５３，５５や据え置き型パソコン５４など）によって適宜にアクセス可能な状態で管理されているとよい。
【００３３】
処理装置１３は、基本構成として、第１記憶部１０１と、第２記憶部１０２と、第３記憶部１０３と、第４記憶部１０４と、第１処理部２０１と、第２処理部２０２とを備えている。
【００３４】
第１記憶部１０１は、複数の器具で構成された手術セットの各器具および器具を構成する構成部品に、それぞれ一対一で関連付けられた器具ＩＤおよび部品ＩＤを記憶している。つまり、このシステム１０では、手術セットの器具には器具ＩＤが付与されている。さらに、器具を構成する構成部品には部品ＩＤが付与されている。器具ＩＤは、一対一で特定の器具に対応しており、部品ＩＤは、一対一で特定の構成部品に対応している。これにより、システム１０では、手術セットの器具および器具の構成部品は、それぞれ器具ＩＤおよび部品ＩＤで特定される。
【００３５】
第２記憶部１０２は、手術セットに一対一で関連付けられたセットＩＤと、当該手術セットに属する器具の器具ＩＤと、当該手術セットに属する構成部品の部品ＩＤとを関連付けて記憶している。つまり、このシステム１０では、手術セットに一対一で関連付けられたセットＩＤが付与されており、セットＩＤによって手術セットが特定される。さらに、セットＩＤが特定されると、当該セットＩＤで特定される手術セットに属する器具の器具ＩＤおよび構成部品の部品ＩＤが特定される。さらに、構成部品の部品ＩＤが特定されると、当該構成部品が属する器具の器具ＩＤなどが特定される。器具ＩＤが特定されると、当該器具が属する手術セットのセットＩＤが特定される。また、器具が構成部品を備えている場合には、器具ＩＤから当該器具に属する構成部品の部品ＩＤが特定される。
【００３６】
第３記憶部１０３は、器具の個体情報と器具ＩＤ、および、構成部品の個体情報と部品ＩＤとを関連付けて記憶している。ここで、個体情報は、二次元シンボルのようにリーダー１１で読み取られうる情報であり、器具または構成部品に付与あるいは付属する識別子である。個体情報は、器具および構成部品で個々に異なっており、器具または構成部品に一対一で識別しうる情報である。器具の個体情報と器具ＩＤ、および、構成部品の個体情報と部品ＩＤとが一対一で対応しているので、リーダー１１で検知された個体情報に基づいて１つの器具または構成部品が特定される。
【００３７】
かかる第３記憶部１０３によって、システム１０では、個体情報から、器具ＩＤまたは部品ＩＤ（つまり、器具または構成部品）が特定される。さらに、第２記憶部１０２に記憶された情報から、当該個体情報によって特定される器具または構成部品が属する手術セットが特定される。なお、個体情報は、手術セットの器具および構成部品の全てに付いているとは限らない。第３記憶部１０３では、手術セットのうち個体情報が付与された器具および構成部品について、個体情報と、器具ＩＤまたは構成部品ＩＤとが、一対一で関連付けられて記憶されているとよい。また、手術セットのうち個体情報が付与されていない器具および構成部品については、個体情報が付与されていないことを示す情報が、器具ＩＤまたは部品ＩＤに関連付けて記憶されていてもよい。
【００３８】
第４記憶部１０４は、器具ＩＤおよび部品ＩＤと、洗浄方法とを関連付けて記憶している。ここで、洗浄方法は、器具および構成部品毎に定められている。第４記憶部１０４に記憶された情報によれば、例えば、器具ＩＤまたは部品ＩＤが特定されることによって洗浄方法が特定される。したがって、第４記憶部１０４において器具ＩＤおよび部品ＩＤに対して、適切な洗浄方法が記憶されていると、器具または構成部品に対して適切な洗浄方法が特定される。
【００３９】
洗浄方法は、方法及び手順が異なる、いくつかのタイプに分類されているとよい。ここで挙げる例では、予め定められた多層式自動洗浄装置にて所定の洗浄をするタイプ、予め定められた単層式自動洗浄装置で所定の洗浄をするタイプ、減圧沸騰式洗浄機によって所定の洗浄をするタイプ、手洗いにて洗浄するタイプなどに分けられている。第４記憶部に記憶される洗浄方法は、ここで例示される方法に限定されない。ユーザーが種々設定することができる。またユーザーにおいて任意に洗浄方法を追加したり、洗浄方法の分類を纏めたり、洗浄方法の条件などで細分化したりすることができる。処理装置１３には、洗浄方法として、例えば、予め割り当てられた洗浄方法ＩＤが記憶されているとよい。
【００４０】
上述した第１記憶部１０１〜第４記憶部１０４は、それぞれ独立したデータベースで構成してもよい。また、第１記憶部１０１〜第４記憶部１０４は、１つのデータベースで構成することができる。図３は、第１記憶部１０１〜第４記憶部１０４を纏めたデータベース４００の構成例である。図３では、手術セットのセットＩＤ，手術セット名，器具ＩＤ，器具名，部品ＩＤ，洗浄方法ＩＤ，個体情報としてのＧＳ１コード，画像ファイルを記憶する欄４０１〜４０８が設けられており、それぞれが関連づけられて記憶されている。
【００４１】
第１処理部２０１は、リーダー１１によって個体情報が検知された際に、個体情報によって器具または構成部品が属する手術セットを特定するための処理部である。この実施形態では、リーダー１１によって検知された個体情報は、通信ネットワーク１４を通じて処理装置１３に伝達される。当該個体情報は、例えば、処理装置１３において一時的に記憶される。処理装置１３は、リーダー１１によって検知された個体情報を記憶するための、予め定められた記憶領域を備えているとよい。
【００４２】
処理装置１３では、例えば、リーダー１１によって検知された個体情報に基づいて個体情報が特定される。次に、第３記憶部１０３に記憶された情報に基づいて、特定された個体情報から器具ＩＤまたは部品ＩＤが特定される。器具ＩＤまたは部品ＩＤが特定されると、第２記憶部１０２に記憶された情報に基づいてセットＩＤが特定される。セットＩＤが特定されると手術セットが特定される。このように、第１処理部２０１は、リーダー１１によって検知された個体情報および第３記憶部１０３および第２記憶部１０２に記憶された情報に基づいて、器具ＩＤまたは部品ＩＤを特定し、さらにセットＩＤを特定し、器具または構成部品が属する手術セットを特定するように構成されている。このように、リーダー１１によって個体情報が検知された際に、個体情報によって器具または構成部品が属する手術セットが特定されうる。
【００４３】
第２処理部２０２は、第１処理部２０１で特定された手術セットに属する器具および構成部品と、洗浄方法とを関連付けて表示装置１２に表示するための処理部である。システム１０では、例えば、第２記憶部１０２に記憶された情報に基づいて、セットＩＤから器具ＩＤおよび部品ＩＤが特定される。次に、第１記憶部１０１に記憶された情報に基づいて器具ＩＤおよび部品ＩＤから器具および構成部品が特定される。さらに、第４記憶部１０４に記憶された情報に基づいて器具ＩＤおよび部品ＩＤから洗浄方法ＩＤが特定される。つまり、特定された手術セットに属する器具および構成部品に対し、それぞれの洗浄方法が特定されて表示装置に表示される。
【００４４】
ここで、器具および構成部品と、洗浄方法とを関連付けて表示装置に表示するとは、例えば、第１処理部２０１で特定された手術セットに属する器具および構成部品と、洗浄方法との情報が、一覧表のような状態で表示されるとよい。かかる処理によって、手術セットに属する器具および構成部品の洗浄方法が、ユーザーに分かりやすく表示される。器具、構成部品、洗浄方法は、それぞれテキストデータで表示されてもよい。また、器具、構成部品、洗浄方法は、それぞれ予め用意された画像やアイコンなどで表示されてもよい。
【００４５】
この実施形態では、システム１０は、手術セットに属する器具および構成部品を、洗浄方法毎に分けて表示装置に表示することができる。その一実施形態として、システム１０は、第３処理部２０３と、第４処理部２０４とを備えている。
【００４６】
第３処理部２０３は、リーダー１１によって個体情報が検知された際に、表示装置１２に第１振分ボタンを表示するための処理部である。ここで、図４は、表示装置１２に表示される画面の一例を示すイメージ図である。図４に示されているように、このシステム１０では、構成部品から特定されるセットＩＤに基づいて手術セット２０の写真を表示装置１２に表示することができる。手術セット２０の写真を表示装置１２に表示する処理については、後で述べる。図４に示された画面の右下には、「振り分け」と記載されたアイコン６２１が用意されている。このアイコン６２１には上述した第１振分ボタンが組み込まれている。なお、図４に示された画面の右下には、「構成品表示」と記載されたアイコン６２２と、「緊急出庫」と表示されたアイコン６２３とが用意されている。「構成品表示」と記載されたアイコン６２２には、当該図４で表示された手術セット２０に属する器具および構成部品の一覧を表示する処理が実行されるための処理ボタンが組み込まれている。「緊急出庫」と表示されたアイコン６２３には、手術セット２０を急ぎ処理する必要性があることを知らせるための予め定められた処理が実行されるための処理ボタンが組み込まれている。例えば、手術セット２０が急な手術などで使用される場合に、手術、回収、洗浄、回収、組立、封止、滅菌、保管などの各工程において、手術セット２０を急ぎ処理する必要性があることが作業者に知らされる。
【００４７】
第４処理部２０４は、第１振分ボタン（アイコン６２１（図４参照））が操作された際に、第１処理部２０１で特定された手術セット２０に属する器具および構成部品を、第４記憶部１０４で関連付けられた洗浄方法毎に分けて表示装置１２に表示するための処理部である。
【００４８】
図４に示された画面の左下に横には、それぞれ洗浄方法を示す４つのアイコン６０１〜６０４が表示されている。ここでは、４つのアイコン６０１〜６０４は、左から順に多層式自動洗浄装置での洗浄、単層式自動洗浄装置での洗浄、減圧沸騰式洗浄機での洗浄、手洗い洗浄をそれぞれ示している。
【００４９】
このシステム１０では、分類可能な洗浄方法として４つの洗浄方法が予め定め登録されている。分類可能な洗浄方法は、システム１０に予め洗浄方法と洗浄方法ＩＤを登録することによって、より多く設定できる。図４に示された手術セット２０では、手術セット２０に属する器具および構成部品は、上記の４つの洗浄方法のうち、多層式自動洗浄装置での洗浄、手洗い洗浄、減圧沸騰式洗浄機での洗浄の３つの洗浄方法に分類される。
【００５０】
なお、図４の左下には、３つのアイコン６０６〜６０８が縦に並んでいる。アイコン６０６には、手術セット２０の写真を部分的に拡大表示するための操作ボタンが組み込まれている。アイコン６０７には、当該端末に定められた所定のリーダー１１がシステム１０に接続されていることを示している。例えば、リーダー１１がシステム１０に接続されていない場合には、このアイコン６０７が暗く表示されるように設定されているとよい。このように設定されていることで、ユーザーにリーダー１１の接続状態を知らせることができる。アイコン６０８は、当該手術セット２０の情報に関連付けてシステム１０に設けられるメモ欄を記憶させるための処理を行うための操作ボタンが組み込まれている。
【００５１】
図４の右中段に設けられた備考欄６１１には、手術セット２０についての情報がテキスト表示されている。ここでは、手術セット２０は、鉗子１０本、剪刃１本、鈎２本と記載されている。図４に示された例では、手術セット２０は、本来は１４点の器具で構成されているが、器具が一点欠損しており、現状は１３点の器具構成となっている。備考欄６１１には、そのことがメモ書きされており、現状の１３点の器具構成でシステム１０に記録された日が、２０１６／６／２１として記録されている。備考欄６１１に表示される情報は、図示は省略するが、セットＩＤと関連付けられて記憶されているとよい。また、手術セット２０の写真は、手術セット２０のセットＩＤと関連付けられて処理装置１３に記憶された写真データが表示されている。図４の例では、器具が１点欠損した後の１３点で構成された手術セット２０の写真が処理装置１３に記憶されている。さらに１３点の器具のうち１つの器具は代替品と交換されている。
【００５２】
図４の右上段の欄６１２には、手術セット２０に含まれる器具の現状の点数、保管時の容器の種類、滅菌方法などが記載されている。さらに、上段には、診療科を表示する欄６１３と、手術セット２０の名前が表示される欄６１４が設けられている。右上段の欄６１２の情報は、図示は省略するが、セットＩＤに関連付けられて処理装置１３に記録されているとよい。また、処理装置１３の表示画面は、図４に限らず一例に過ぎず種々の形態が採用されうる。また、表示される情報も、この明細書で例示される形態に限定されない。処理装置１３は、図４に示されているように、上述したようなアイコンや処理ボタンが表示されるようにプログラムされているとよい。
【００５３】
図５は、第１振分けボタン６２１（図４参照）が押された後に表示される画面を示すイメージ図である。このシステム１０では、第１振分けボタン６２１が押されると、図５に示すように、手術セット２０に属する器具および構成部品が洗浄方法に分かれて表示される。
【００５４】
図５の上部には、手術セット２０（図４参照）に属する器具点数が表示される欄７１１がある。この手術セット２０は、本来の１４点の器具で構成されており、１４の数字が分母に表示されている。分子は、既に振分け済みの器具点数が表示されており、図５では、３と示されている。なお、この手術セット２０は、本来の１４点の器具で構成されているが、１点欠損しており、１３点である。図５では、手術セット２０の器具点数が表示される欄７１１には、欠損している器具も含めて表示されている。また、欠損している器具は、振分け済みの器具点数に含まれている。手術セット２０に属する器具点数が、このように表示されていることによって、ユーザーは、全体の器具点数および振分け済みの器具点数が直ぐに把握でき、残りの器具点数も直ぐに把握できる。
【００５５】
図５では、左から順に、多層式自動洗浄装置での洗浄の欄７２１、手洗い洗浄の欄７２２、減圧沸騰式洗浄機での洗浄の欄７２３の３つの欄が設けられている。器具は、その洗浄方法により、３つの欄７２１〜７２３に分類されている。ここで、多層式自動洗浄装置での洗浄に分類される器具は８点である。手洗い洗浄に分類される器具は４点である。減圧沸騰式洗浄機での洗浄に分類される器具は２点である。洗浄方法の各欄７２１〜７２３の上部には、分類された器具点数および振分け済みの器具点数を表示する欄７２１ａ〜７２３ａがそれぞれ設けられている。
【００５６】
多層式自動洗浄装置での洗浄の欄７２１の上部の分類された器具点数および振分け済みの器具点数を表示する欄７２１ａには、分母に８、分子に３が示されている。また、多層式自動洗浄装置での洗浄の欄７２１には、それぞれ器具の写真画像およびアイコンが表示されている。このうち振分け済みの器具点数にカウントされている器具は、表示パターンが暗くなっている。また、振分け済みの器具点数にカウントされている器具には、欠損している器具が含まれている。明るい表示パターンで表示されている器具は、未だ振分けられていない器具である。このシステム１０では、振分け済みの器具の表示パターンが変えられていることによって、当該器具が振分けられていることがユーザーに直ぐに分かる。また、振分け済みの器具は暗く、未だ振分けられていない器具は明るく表示されるので、ユーザーは、未だ振分けられていない器具を認識しやすい。
【００５７】
図６Ａ〜図６Ｄは、それぞれ器具の画像に添えられるアイコンを示す図である。図６Ａ〜図６Ｄで示されたアイコン群７３１〜７３４は、器具および構成部材についての情報に関連付けられている。
図６Ａに示されたアイコン７３１は、器具または構成部品が欠損していることを示すためのアイコンである。図５で例示された手術セット２０は、器具が１つ欠損した状態で運用されている。つまり、本来の器具点数よりも少ない器具点数で運用されている。図５では、器具の画像７５１にアイコン７３１（図６参照）が添えられている。
【００５８】
図６Ｂに示されたアイコン７３２は、器具または構成部品が代替品であることを示すためのアイコンである。例えば、欠損となった本来セットに含まれている器具の代わりに、代替品となる器具を手術セットに含めた場合に、当該器具を代替品として扱うとよい。この場合、代替品には、本来の器具と異なる個体情報が付与されている場合がある。この場合、本来の器具と異なる個体情報が付与された器具の個体情報によって、手術セットが特定されるように、器具および個体情報が、当該手術セット２０に関連付けてシステム１０に登録されているとよい。図５では、器具の画像７５２に、アイコン７３２（図６Ｂ参照）が添えられている。
【００５９】
図６Ｃに示されたアイコン７３３は、個体情報が付いた器具または構成部品であることを示すためのアイコンである。図５では、例えば、器具の画像７５３に、個体情報が付いた器具であることを示すアイコンが添えられている。
図６Ｄに示されたアイコン７３４は、個体情報が付いていない器具であることを示すためのアイコンである。上述のように個体情報は、１ｍｍ〜４ｍｍ角程度の二次元シンボルで構成されうるが、器具の形状や材質によっては二次元シンボルを付けることができない場合もある。そのような器具は、個体情報が付いていない器具として扱われる。図５では、例えば、器具の画像７５４に、アイコン７３３（図６Ｃ参照）が添えられている。
【００６０】
これらのアイコン群７３１〜７３４は、例えば、システム１０に予め登録、つまり、処理装置１３に予め記憶されているとよい。そして、処理装置１３は、例えば、器具ＩＤまたは部品ＩＤに関連付けられた情報に基づいて、器具および構成部品に関連付けてアイコンが表示されるようにプログラムされているとよい。
【００６１】
この実施形態では、処理装置１３は、図１に示されているように、他に、種々の処理モジュールを備えていてもよい。処理装置１３は、種々の処理モジュールを備えており、所要の処理モジュールの処理が適宜に利用されうるように、システム１０の設定が変更されるように構成されているとよい。
【００６２】
例えば、処理装置１３は、処理モジュールとして、図１に示されているように、第５処理部２０５と第６処理部２０６とを備えていてもよい。
第５処理部２０５は、構成部品の個体情報がリーダー１１によって検知された際に、検知された個体情報に基づいて構成部品が属する器具を特定するようにプログラムされている。第５処理部２０５によれば、処理装置１３は、リーダー１１で構成部品の個体情報が検知された場合に、当該個体情報で特定される構成部品の部品ＩＤおよび当該構成部品が属する器具ＩＤを特定する。例えば、当該個体情報と、第３記憶部１０３と、第２記憶部１０２とに基づいて、当該個体情報で特定される構成部品の部品ＩＤおよび当該構成部品が属する器具ＩＤが特定されるようにプログラムされているとよい。
【００６３】
第６処理部２０６は、第５処理部２０５で特定された器具に属する構成部品を、洗浄方法に関連付けて表示装置１２に表示するようにプログラムされている。
かかる第５処理部２０５と第６処理部２０６によれば、システム１０は、リーダー１１で構成部品の個体情報が検知された場合に、手術セット２０は表示されず、当該構成部品が属する器具に属する構成部品と、その洗浄方法が特定される。具体的な態様として、処理装置１３は、当該構成部品が属する器具に属する構成部品と、その洗浄方法を、表示装置１２に一覧表示されるように構成されてもよい。
【００６４】
第７処理部２０７は、リーダー１１によって構成部品の個体情報が検知された際に、表示装置に第２振分ボタンを表示するようにプログラムされている。
第８処理部２０８は、第２振分ボタンが操作された際に、検知された個体情報に基づいて特定された器具に属する構成部品を、第４記憶部１０４で関連付けられた洗浄方法毎に分けて表示装置１２に表示するようにプログラムされている。
かかる第７処理部２０７および第８処理部の処理によれば、リーダー１１によって構成部品の個体情報が検知された際に、当該構成部品が属する器具が特定され、当該器具に属する構成部品が、洗浄方法毎に分けられて表示装置１２に表示される。
【００６５】
第９処理部２０９は、リーダー１１によって個体情報が検知された際に、個体情報によって特定される器具または構成部品が属する手術セットに属する器具および構成部品を、第４記憶部１０４で関連付けられた洗浄方法毎に分けて表示装置１２に表示するようにプログラムされている。第９処理部２０９の処理によれば、リーダー１１によって個体情報が検知された際に、個体情報によって特定される器具または構成部品が属する手術セットが特定される。さらに、手術セットに属する器具および構成部品が洗浄方法毎に分けられて表示装置１２に表示される。
【００６６】
つまり、第９処理部２０９の処理によれば、リーダー１１によって個体情報が検知された際に、例えば、図５に示されているように、手術セットに属する器具および構成部品が洗浄方法毎に分けられた画面を表示装置１２に表示することができる。この場合、システム１０は、かかる第９処理部２０９の処理を主たる処理とし、リーダー１１によって個体情報が検知された際に、図５に示されているように、手術セットに属する器具および構成部品が洗浄方法毎に分けられて表示装置１２に表示されるように構成してもよい。
【００６７】
図７は、異なる複数の手術セットに属する器具および構成部品がそれぞれ手術セット毎に分けられて表示された画面を示すイメージ図である。図７は、例えば、リーダー１１によって異なる複数の手術セットの器具または構成部品の個体情報が検知された際に表示される画面が例示されている。手術セットに属する器具および構成部品には、それぞれ洗浄方法を示すアイコン（図６Ａ〜図６Ｄ参照）が併せて表示されている。
【００６８】
上述のように、第１処理部２０１は、リーダー１１によって検知された個体情報および第３記憶部および第２記憶部に記憶された情報に基づいて、器具ＩＤまたは部品ＩＤを特定し、さらにセットＩＤを特定し、器具または構成部品が属する手術セットを特定する。
第２処理部２０２は、第１処理部２０１で特定された手術セットに属する器具および構成部品と、洗浄方法とを関連付けて表示装置に表示するための処理部である。
システム１０は、リーダー１１によって異なる複数の手術セットの器具または構成部品の個体情報が検知された際には、それぞれ個体情報に基づいて手術セットが特定される。そして、図７に示されているように、手術セット毎に、手術セットに属する器具および構成部品が、洗浄方法とともに表示されるように構成されていてもよい。
【００６９】
ここで、図７では、４つの手術セット２０〜２３に関する情報が表示される欄８０１〜８０４が左から右に順に並んで表示されている。各欄８０１〜８０４の上段には、手術セット名を表示する欄８１１、器具および構成部品の点数を表示する欄８１２、手術セットの画像を表示する欄８１３がそれぞれ設けられている。このうち、器具および構成部品の点数を表示する欄８１２は、手術セット２０〜２３に属する器具および構成部品の全体の点数が分母に表示され、振分け済みの点数が分子に表示されている。また、各欄８０１〜８０４の上段がクリックされるなどの操作で指定されると、手術セット２０〜２３に関する情報が一覧から独立してポップアップ表示されるように構成されている。つまり、図５で示されるように、手術セット毎の画面が表示されるようにプログラムされている。
【００７０】
各欄８０１〜８０４には、上記の上段に続いて、器具および構成部品毎の情報が表示される欄が設けられている。器具および構成部品毎の情報が表示される欄は、振分け済みの器具および構成部品は暗く表示されている。図７では、一番左の手術セット２０の欄８０１では、当該手術セットに属する全ての器具および構成部品が振分け済みとなった状態が示されている。また、左から２番目の手術セット２１の欄８０２では２つの器具および構成部品が振分け済みとなった状態が示されている。左から３番目の手術セット２２の欄８０３では１つの器具および構成部品が振分け済みとなった状態が示されている。左から４番目の手術セット２３の欄８０４では２つの器具および構成部品が振分け済みとなった状態が示されている。なお、ここで器具および構成部品毎の情報が表示される欄が、クリックされるなどの操作で指定されると、器具および構成部品毎の情報が一覧から独立してポップアップ表示されるように構成されている。
【００７１】
処理装置１３は、第５記憶部１０５と、第１振分部２４１とを備えていてもよい。
第５記憶部１０５は、器具ＩＤまたは部品ＩＤと、器具または構成部品が洗浄振分け作業において振分けられた日時とを関連づけて記憶するための記憶部である。
第１振分部２４１は、器具ＩＤまたは部品ＩＤと、器具または構成部品が洗浄振分け作業において振分けられた日時を特定し、第５記憶部１０５に記憶するようにプログラムされている。
【００７２】
図８は、第５記憶部１０５のデータベース４４０の構成例である。
第５記憶部１０５は、図８に示されているように、器具ＩＤまたは部品ＩＤと、器具または構成部品が洗浄振分け作業において振分けられた日時とを関連づけて記憶する構成であればよい。ここで、図８では、手術セットのセットＩＤ，器具ＩＤ，部品ＩＤ，洗浄方法ＩＤ，ユーザーＩＤ，個体情報としてのＧＳ１コード，振分日時を記憶するための欄４４１〜４４７が設けられている。欄４４１〜４４７は、器具ＩＤまたは部品ＩＤにそれぞれ関連づけられている。
【００７３】
このうち、洗浄方法ＩＤ４４４の欄は、器具または構成部品の洗浄方法に対してアイコンを表示させるのに用いられる。ユーザーＩＤの欄４４５は、作業者に割り当てられているＩＤであり、当該振分け作業を実施した作業者を特定するためのＩＤである。この実施形態では、例えば、処理装置１３は、振分け作業を行う作業者について、ユーザーＩＤを登録させる。そして、振分日時が記録されるのに合わせて登録されたユーザーＩＤが記録されるように構成されているとよい。ＧＳ１コードの欄４４６は、リーダー１１で個体情報が読み込まれた場合に当該個体情報から特定されるＧＳ１コードが記録される欄である。振分日時の欄４４７は、当該器具または構成部品が振分けられた時間が記録される欄である。
【００７４】
第１振分部２４１は、例えば、表示装置１２によって表示された器具または構成部品にボタンを設け、かつ、当該ボタンが操作された日時に基づいて器具ＩＤまたは部品ＩＤと振分けられた日時とを特定し、第５記憶部１０５に記憶するようにプログラムされていてもよい。表示装置１２がタッチパネルであれば、ユーザーは、表示装置１２によって表示された器具または構成部品をタッチするとよい。これにより、表示装置１２によって表示された器具または構成部品で特定される器具ＩＤまたは部品ＩＤと、当該器具または構成部品が振分けられた日時とが特定される。この場合、ユーザーは、表示装置１２によって表示された器具または構成部品をタッチした時間が、振分日時の欄４４７に記録される。
【００７５】
他の形態として、第１振分部２４１は、例えば、リーダー１１によって個体情報が検知された際に、器具ＩＤまたは部品ＩＤと、器具または構成部品が振分けられた日時を特定し、第５記憶部１０５に記憶するようにプログラムされていてもよい。つまり、検知された個体情報に基づいて器具ＩＤまたは部品ＩＤを特定し、当該器具ＩＤまたは部品ＩＤで特定される器具または構成部品が振分けられた日時を特定し、第５記憶部１０５に記憶するようにプログラムされていてもよい。
【００７６】
処理装置１３は、第２振分部２４２を備えていてもよい。第２振分部２４２は、第５記憶部１０５に基づいて、振分け済みの器具または構成部品を特定し、当該振分け済みの器具または構成部品の表示パターンを変更するようにプログラムされている。
かかる第２振分部２４２によれば、振分け済みの器具または構成部品の表示パターンが変更されるので、表示装置１２に表示された器具または構成部品を見ると、振分け済みか否かが直ぐに分かる。ここで、第２振分部２４２は、例えば、第５記憶部１０５に振分けられた日時が記憶されている、器具または構成部品を振分け済みと判定するようにプログラムされていてもよい。
【００７７】
処理装置１３は、第６記憶部１０６と、第３振分部２４３とを備えていてもよい。
第６記憶部１０６は、セットＩＤと、セットＩＤで特定される手術セットの洗浄振分け作業が開始された日時と、終了した日時とを関連づけて記憶するための記憶部である。
第３振分部２４３は、洗浄振分け作業が施される手術セットのセットＩＤと、振分け作業が開始された日時と、振分け作業が終了した日時とを特定し、第６記憶部１０６の振分開始日時と振分終了日時に記憶するようにプログラムされているとよい。
この場合、手術セットの洗浄振分け作業が開始された日時と、終了した日時とが記録されるので、手術セットがいつ洗浄振分け作業が開始され、終了されたかを把握することができる。
【００７８】
図９は、第６記憶部１０６のデータベース４６０の構成例である。
図９では、手術セットのセットＩＤ，ユーザーＩＤ，振分開始日時、振分終了日時を記憶するための欄４６１〜４６４が設けられている。図９に示された実施形態では、ユーザーＩＤを併せて記録する欄４６４があるので、後日、誰が洗浄振分け作業を行ったかが把握できる。
第３振分部２４３は、例えば、図３に示されているように、これから振分ける手術セットが表示装置１２に表示されている状態において、振り分けボタン６２１（図４参照）が押された時間を、第６記憶部１０６の振分開始日時の欄４６３に記録するように構成されているとよい。
また、第３振分部２４３は、例えば、セットＩＤで特定される手術セットに属する器具および構成部品が全て振分けられた日時を、振分終了日時の欄４６４に記録するようにプログラムされているとよい。
【００７９】
ここでは、図５および図７において、回収工程から洗浄工程までの器具および構成部品の振分け作業が例示されているが、上述したシステム１０の作業工程を管理する処理、例えば、第５記憶部１０５，第６記憶部１０６，第１０処理部２１０から第１３処理部２１３の処理などは、組立作業のような他の工程の作業にも適宜に適用されうる。
【００８０】
処理装置１３は、図１に示されているように、第１画像記憶部１４１と、第１４処理部２１４とを備えていてもよい。
第１画像記憶部１４１は、セットＩＤと、セットＩＤで特定される手術セットの画像とを関連付けて記憶するための記憶部である。
第１４処理部２１４は、第１画像記憶部１４１と、セットＩＤに関連付けられた手術セットの画像を、表示装置１２に表示するようにプログラムされている。
【００８１】
処理装置１３が第１画像記憶部１４１と、第１４処理部２１４とを備えていれば、システム１０は、適宜に、セットＩＤに関連付けられた手術セットの画像を、表示装置１２に表示することができる。第１４処理部２１４の処理モジュールを備えている場合、システム１０は、図４、図５および図７に示されているように、セットＩＤが特定されることによって、適宜に手術セットの画像が表示されるようにプログラムされうる。この場合、ユーザーは、表示装置１２に表示された画像から手術セットの構成を視覚的に認識でき、手術セットの構成を理解することが容易になる。
図３に示されたデータベースでは、画像ファイルを記憶する欄４０８にセットＩＤに関連付けられた手術セットの画像ファイルを特定する情報が記憶されている。処理装置１３は、当該情報を基に第１画像記憶部１４１にアクセスしてセットＩＤに関連付けられた手術セットの画像を表示するように構成されているとよい。
【００８２】
処理装置１３は、リーダー１１によって個体情報が検知された際に、個体情報によって特定される器具または構成部品が属する手術セットのセットＩＤを特定し、当該セットＩＤで特定される手術セットの画像を表示するようにプログラムされていてもよい。この場合、リーダー１１によって個体情報が検知された際に、個体情報で特定される器具または構成部品が属する手術セットの画像が表示される。したがって、ユーザーは、リーダー１１で個体情報を検知させることによって、当該器具または構成部品が属する手術セットの画像が得られる。器具または構成部品を見ただけでは、手術セットが分からない場合でも、器具または構成部品が属する手術セットを把握することが容易になる。
【００８３】
処理装置１３は、図１に示されているように、第２画像記憶部１４２と、第１５処理部２１５とを備えていてもよい。
第２画像記憶部１４２は、器具ＩＤと、器具ＩＤで特定される器具の画像とを関連付けて記憶するための記憶部である。
第１５処理部２１５は、器具ＩＤに関連付けられた器具の画像を、表示装置１２に表示するようにプログラムされている。
【００８４】
処理装置１３が第２画像記憶部１４２と、第１５処理部２１５とを備えていれば、システム１０は、適宜に、器具ＩＤに関連付けられた器具の画像を、表示装置１２に表示することができる。例えば、図５に示されているように、器具を表示する際に器具の画像を表示装置１２に表示することができる。また、この場合、器具の画像を拡大表示する処理部を備えていてもよい。器具の画像を拡大表示する処理によって、当該器具の細部の形状を表示装置１２に表示された画像から確認することができる。これにより、ユーザーは、器具の特徴を理解しやすくなる。
【００８５】
この場合、器具の画像には、器具に個体情報が付与された位置を示す印が付けられていてもよい。例えば、図５の器具の画像７５３には、個体情報が付与された位置を示す印７５３ａが付けられている。つまり、個体情報は、１ｍｍ〜４ｍｍ角程度の小さな二次元シンボルでありうる。このため、器具のどの位置に個体情報が付けられているかが分かりにくい場合がある。図５に示されているように、器具の画像７５３に個体情報が付与された位置を示す印７５３ａが付けられていることによって、個体情報が付けられた位置が容易に分かるようになる。
【００８６】
図３に示されたデータベースでは、画像ファイルを記憶する欄４０８に器具ＩＤおよび部品ＩＤに関連付けられて器具の画像ファイルおよび構成部品の画像ファイルを特定する情報が記憶されている。処理装置１３は、当該情報を基に第２画像記憶部１４２および第３画像記憶部１４３にアクセスしてセットＩＤに関連付けられた手術セットの画像を表示するように構成されているとよい。
【００８７】
処理装置１３は、図１に示されているように、第３画像記憶部１４３と、第１６処理部２１６とを備えていてもよい。
第３画像記憶部１４３は、部品ＩＤと、部品ＩＤで特定される構成部品の画像とを関連付けて記憶するための記憶部である。
第１６処理部は、部品ＩＤに関連付けられた構成部品の画像を、表示装置１２に表示するようにプログラムされている。
処理装置１３が第３画像記憶部１４３と、第１６処理部２１６とを備えていれば、システム１０は、適宜に、部品ＩＤに関連付けられた構成部品の画像を、表示装置１２に表示することができる。例えば、構成部品を表示する際に構成部品の画像を表示装置１２に表示することができる。この場合、構成部品の画像を拡大表示する処理部を備えていてもよい。これにより、ユーザーは、構成部品の特徴を理解しやすくなる。
【００８８】
この場合、構成部品の画像には、当該構成部品に個体情報が付与された位置を示す印が付けられていてもよい。つまり、個体情報は、１ｍｍ〜４ｍｍ角程度の小さな二次元シンボルでありうる。このため、構成部品のどの位置に個体情報が付けられているかが分かりにくい場合がある。構成部品の画像に個体情報が付与された位置を示す印が付けられていることによって、個体情報が付けられた位置が容易に分かるようになる。図５では、器具の画像に個体情報が付与された位置を示す印が付けられているが、構成部品においても同様の印が付与されているとよい。
【００８９】
処理装置１３は、図１に示されているように、第７記憶部１０７と、第１７処理部２１７とを備えていてもよい。
第７記憶部１０７は、個体情報が有ること、または、個体情報が無いことを示す第１判定子を、器具ＩＤおよび部品ＩＤに関連付けて記憶するための記憶部である。
ここで、第１判定子は、図示は省略されているが、例えば、図３に示されているようなデータベースにおいて、器具ＩＤおよび部品ＩＤに関連付けて記憶されているとよい。
第１７処理部２１７は、器具または構成部品と、個体情報の有無とを関連付けて表示装置１２に表示するようにプログラムされているとよい。
処理装置１３が第７記憶部１０７と第１７処理部２１７とを備えている場合には、システム１０は、器具または構成部品に個体情報が有ること、または、個体情報が無いことを、器具または構成部品の情報に添えて表示装置１２に表示することができる。
【００９０】
処理装置１３は、図１に示されているように、第４画像記憶部１４４を備えていてもよい。
第４画像記憶部１４４は、個体情報が付されていることを示す第１アイコン７３３（図６Ｃ参照）と、個体情報が付されていないことを示す第２アイコン７３４（図６Ｄ参照）とを記憶するための記憶部である。
この場合、第１７処理部２１７は、第１判定子に応じて第１アイコン７３３または第２アイコン７３４を表示装置１２に表示するようにプログラムされているとよい。
例えば、図５に示されているように、器具および構成部品の情報に添えて、第１アイコン７３３および第２アイコン７３４を表示することができる。この場合、ユーザーは、器具および構成部品に、個体情報が付されているか否かを、アイコン７３３，７３４で判別できる。このため、ユーザーは、アイコン７３３，７３４により個体情報が付されているか否かが容易に判定できる。
【００９１】
上述した第７記憶部１０７は、さらに個体情報の有無が不明であることを示す第２判定子を、器具ＩＤおよび部品ＩＤに関連付けて記憶していてもよい。この場合、システム１０は、器具または構成部品に個体情報が有ることが不明であることを、器具または構成部品の情報に添えて表示装置１２に表示することができる。ここで、第２判定子は、例えば、図３に示されているようなデータベースにおいて、器具ＩＤおよび部品ＩＤに関連付けて記憶されているとよい。
【００９２】
この場合、第４画像記憶部１４４は、上述した第１アイコン７３３と第２アイコン７３４に加えて、個体情報の有無が不明であることを示す第３アイコン７３１（図６Ａ参照）を記憶しているとよい。そして、第１７処理部２１７は、第１判定子および第２判定子に応じて、第１アイコン７３３と第２アイコン７３４と第３アイコン７３１とのうち何れか１つのアイコンを、器具または構成部品の情報に添えて表示装置１２に表示するようにプログラムされているとよい（図５および図６Ａ〜図６Ｄ参照）。この場合、ユーザーは、器具および構成部品に、個体情報が付されているか否か、さらに、個体情報が付されているか否かが不明であることを、アイコン７３１，７３３，７３４（図６Ａ〜図６Ｄ参照）で判別できる。このため、個体情報が付されているか否かが容易に判定できる。
【００９３】
処理装置１３は、図１に示されているように、第５画像記憶部１４５と、第１８処理部２１８とを備えていてもよい。
第５画像記憶部１４５は、洗浄方法ＩＤに一対一で割り当てられた画像データを記憶するための記憶部である。
第１８処理部２１８は、洗浄方法ＩＤに割り当てられた画像データを表示装置１２に表示するようにプログラムされているとよい。
この場合、図４に示されているように、洗浄方法が予め定められた画像（図４に示された実施形態では、アイコン６０１〜６０４）で表示されている。この場合、ユーザーは、アイコン６０１〜６０４のような視覚で認識可能なイメージによって洗浄方法を認識させることができる。
【００９４】
また、処理装置１３は、図１に示されているように、第１９処理部２１９を備えていてもよい。
第１９処理部２１９は、セットＩＤで特定される手術セットのうち、１の手術セットが特定された際に、当該特定された手術セットに属する器具および構成部品と、洗浄方法とを関連付けて、表示装置１２に表示するようにプログラムされているとよい。つまり、第１９処理部２１９は、手術セットを特定して表示する処理モジュールである。処理装置１３が、このような第１９処理部２１９を備えている場合には、任意の手法によって手術セットが特定されると、手術セットが表示されるように、システム１０を設定することができる。ここで、１の手術セットを特定する手法には種々の手法が採用されうる。
【００９５】
例えば、処理装置１３は、第８記憶部１０８と、情報入力部１６１と、第２０処理部２２０とを備えていてもよい。
第８記憶部１０８は、診療科に一対一で割り当てられた診療科ＩＤと、セットＩＤとを関連付けて記憶するための記憶部である。第８記憶部１０８には、診療科ＩＤと、セットＩＤとが予め定め関連付けられて記憶されているとよい。
情報入力部１６１は、診療科が入力されるようにプログラムされているとよい。ここで、情報入力部１６１は、予め用意された診療科から一の診療科が選択されるように構成されていてもよい。
第２０処理部２２０は、情報入力部１６１で入力された診療科の診療科ＩＤに関連付けられたセットＩＤを抽出するようにプログラムされているとよい。
【００９６】
図１０は、ユーザーが手術セットを検索するための条件設定画面を示す図である。図１０には、外科、眼科、整形外科、口腔外科、耳鼻科、整形外科、脳外科、泌尿器科、婦人科、麻酔科、ラパロなど、それぞれ診療科を選択するためのタグ群８５１が用意されている。それぞれタグには、当該診療科に一対一で割り当てられた診療科ＩＤが関連付けられており、ユーザーが当該タグを選択することによって、診療科ＩＤが特定される。そして、当該診療科ＩＤに関連付けられたセットＩＤが抽出される。
また、図１０では、ユーザーに手術セットの名称や手術セットに関する情報をテキスト入力する入力部８５２と、検索ボタン８５３が設けられている。図１０の形態では、入力部８５２に入力された種々の情報に基づいて、システム１０に予め記憶された種々の情報から手術セットが抽出されるように構成されていてもよい。
【００９７】
以上の通りに、ここで提案される手術セットの洗浄管理システムの一実施形態を種々説明したが、ここで提案される手術セットの洗浄管理システムは、上述した実施形態に限定されない。また、ここで提案される手術セットの洗浄管理システムは、種々変更でき、特段の問題が生じない限りにおいて、各構成要素は適宜に省略され、または、適宜に組み合わされうる。
【００９８】
なお、ここで提案される手術セットの洗浄管理システムは、かかる形態に限定されず、一台のコンピュータでも具現化されうる。例えば、カメラを備えたタブレット端末は、カメラによって得られる画像を解析して器具の個体情報を取得するリーダー１１としての機能を組み込むことができる。また、タブレット端末のディスプレイを、表示装置１２として機能させることができる。さらにタブレット端末に組み込まれたコンピュータを、処理装置１３として機能させることができる。
【符号の説明】
【００９９】
１０  洗浄管理システム
１１  リーダー
１２  表示装置
１３  処理装置
１４  通信ネットワーク
２０-２３  手術セット
５１-５５  操作端末
５１ａ-５５ａ  ディスプレイ
６１-６３  リーダー
６１ａ-６３ａ  検知部
７０  サーバー
７２  記憶装置
７５  ルーター
１０１〜１０８  第１記憶部〜第８記憶部
１４１〜１４５  第１画像記憶部〜第５画像記憶部
１６１  情報入力部
２０１〜２２０  第１処理部〜第２０処理部
２４１〜２４３  第１振分部〜第３振分部
６１１  備考欄
７５１〜７５４  器具の画像
７５３ａ  印
Ａ  回収エリア
Ｂ  洗浄エリア
Ｃ  組立エリア
【図１】
2019024609.tif 000003
【図２】
2019024609.tif 000004
【図３】
2019024609.tif 000005
【図４】
2019024609.tif 000006
【図５】
2019024609.tif 000007
【図６Ａ】
2019024609.tif 000008
【図６Ｂ】
2019024609.tif 000009
【図６Ｃ】
2019024609.tif 000010
【図６Ｄ】
2019024609.tif 000011
【図７】
2019024609.tif 000012
【図８】
2019024609.tif 000013
【図９】
2019024609.tif 000014
【図１０】
2019024609.tif 000015